(57)【要約】【課題】本発明は、利用者が利用中に背後への警戒を行う必要がなく、従って利用に伴い緊張を招くことのない紙葉類取扱装置を提供することを課題とする。また、防犯上の制約を満たした上で、多様な利用者が快適に利用できるとともに設置施設の雰囲気との親和性の高い設置レイアウト及びデザインを可能とする紙葉類取扱装置を提供することを課題とする。【解決手段】本発明は、利用者が操作及び入出金を行うのに必要な構成を備えた操作ユニットと紙葉類を保管し、操作ユニットへ供給するのに必要な構成を備えた紙葉類処理ユニットとを壁面を挟んで分離し、両者を搬送ユニットが連結する構成をとる。【選択図】図１
2008197938.tif 000002
【特許請求の範囲】
【請求項１】
紙幣或いは有価証券等の紙葉類を入出金する紙葉類取扱装置であって、利用者が入出金指示のための操作を行う操作部を備え、該操作部の操作面が壁面と対向していることを特徴とする紙葉類取扱装置。
【請求項２】
紙幣或いは有価証券等の紙葉類を入出金する紙葉類取扱装置であって、利用者が入出金指示のための操作を行う操作部を備え、該操作部と壁面との間に通行可能なスペースを有することを特徴とする紙葉類取扱装置。
【請求項３】
請求項１乃至請求項２に記載の紙葉類取扱装置であって、該操作部に加え、該紙葉類を入出金するための入出金部と、入出金される該紙葉類を収納するための金庫とを備え、該操作部及び該入出金部は利用者が操作可能な操作ユニットに収納されて壁面から所定の距離を置いて設置され、該金庫及び紙葉類繰出/収納機構を備えた紙葉類処理ユニットは壁面を挟んで該操作ユニットと反対側に設置され、該操作ユニットと該紙葉類処理ユニットとを連結して該紙葉類を搬送するための搬送ユニットが床面もしくは床下に設置される構成を有することを特徴とする紙葉類取扱装置。
【請求項４】
請求項３に記載の紙葉類取扱装置であって、床面もしくは床下に設置された該搬送ユニットは対の搬送ガイド、すなわち、上搬送ガイドと下搬送ガイドとを一対以上有し、該上搬送ガイドと該下搬送ガイドが所定の距離を隔てて対向することにより紙葉類が搬送される搬送路を形成する構成であって、また、紙葉類の通過および或いは残留を検知するセンサと複数対の搬送ローラとを有し、床面上側から該残留紙葉類を除去することを可能とする開口機構を備え、該開口機構の作動可否を選択する錠を有することを特徴とする紙葉類取扱装置。
【請求項５】
請求項３に記載の紙葉類取扱装置であって、床面もしくは床下に設置された該搬送ユニットは対の搬送ガイド、すなわち、上搬送ガイドと下搬送ガイドとを一対以上有し、該上搬送ガイドと該下搬送ガイドが所定の距離を隔てて対向することにより紙葉類が搬送される搬送路を形成する構成であって、また、紙葉類の通過および或いは残留を検知するセンサと複数対の搬送ローラとを有し、該紙葉類処理ユニット側に該搬送ユニットを引き出すためのスライド機構を備えることを特徴とする紙葉類取扱装置。
【請求項６】
請求項３乃至請求項５に記載の紙葉類取扱装置であって、該操作ユニットには一時的に該紙葉類を保管するための一時保管金庫を有することを特徴とする紙葉類取扱装置。
【請求項７】
請求項３乃至請求項６に記載の紙葉類取扱装置であって、該操作ユニットは、床面もしくは床下に設置された該搬送ユニットを搬送された紙葉類を入出金部まで搬送する操作ユニット内搬送部を有し、該操作ユニット内搬送部は一対以上の搬送ガイドから構成されていて、対の数を変更することにより、該操作ユニットの高さを変更可能であることを特徴とする紙葉類取扱装置。
【発明の詳細な説明】
【技術分野】
【０００１】
本発明は、紙幣或いは有価証券等の紙葉類を取り扱う紙葉類取扱装置に関するものであり、特に紙幣の入出金を行うための紙葉類取扱装置に関するものである。
【背景技術】
【０００２】
省力化及び利便性の向上を目的として、従来から銀行並びにショッピングセンタ等の商業施設に紙葉類取扱装置(いわゆるCD、ATM)が設置され広く利用されている。その一方で近年、暗証番号の盗み見、カードデータの不正取得などのいわゆるスキミング犯罪をはじめ、紙葉類取扱装置の利用者に対する犯罪が多発している。その対策として従来の装置では、利用者背後確認用ミラーの設置、ディスプレイへの覗き見防止フィルム貼付、防犯カメラの設置などが実用されている。
【０００３】
また、紙葉類取扱装置の普及に伴い、社会的インフラストラクチャのひとつとして、障害者をはじめとする多様な利用者が快適に操作できるいわゆるユニバーサルデザインを備えることへの要求が高まっている。これに対して従来、点字による案内表示、通話装置等を備えた紙葉類取扱装置が実用されている。
【０００４】
更には、特に商業施設においてはその設置場所に対する制約及び施設雰囲気への適合への要求から、レイアウトの可塑性が高くデザイン的に優れた紙葉類取扱装置が求められている。これに対して従来、より小型で、デザイン的にも工夫を凝らした紙葉類取扱装置が実用されている。
【０００５】
【特許文献１】特開平11-53607号公報
【発明の開示】
【発明が解決しようとする課題】
【０００６】
以上述べたように、防犯対策として利用者背後確認用ミラーの設置、ディスプレイへの覗き見防止フィルム貼付、防犯カメラの設置などが実用されているが、前2者はいずれも利用者の自衛を助ける手段にとどまり、覗き見行為を根本的に不可能ならしめる手段ではないため、例えば、利用者の背後に別の利用者が順番待ちの列を作っていた場合などには利用者に背後への意識を喚起する利点を有する一方で、利用者の緊張を招く。また、後者の防犯カメラにおいては事後の検証に益する利点を持つが、犯罪行為が行われる場合の記録に過ぎないことによる限界も同時に有する。
【０００７】
また、デザインの自在性においても、防犯上の観点から紙葉類を保管する金庫を保護するため、壁面に備えつけ、壁面を挟んで操作面と、金庫面とを構成するいわゆる壁面タイプの紙葉類取扱装置であれば、設置場所は壁面沿いに限定されることになり、室内に設置する室内タイプの紙葉類取扱装置であれば、設置場所は比較的自由になる一方で、金庫部分を含んでいるため比較的設置スペースを取るとともに、紙幣の充填等の際に防犯上の留意が必要となる。
【０００８】
本発明は、利用者が利用中に背後への警戒を行う必要がなく、従って利用に伴い緊張を招くことのない紙葉類取扱装置を提供することを課題とする。また、防犯上の制約を満たした上で、多様な利用者が快適に利用できるとともに設置施設の雰囲気との親和性の高い設置レイアウト及びデザインを可能とする紙葉類取扱装置を提供することを課題とする。
【課題を解決するための手段】
【０００９】
上記課題を解決するため、本発明は、利用者が操作及び入出金を行うのに必要な構成を備えた操作ユニットと紙葉類を保管し、操作ユニットへ供給するのに必要な構成を備えた紙葉類処理ユニットとを壁面を挟んで分離し、両者を搬送ユニットが連結する構成をとる。
【００１０】
具体的には、請求項１に示されるように、紙幣或いは有価証券等の紙葉類を入出金する紙葉類取扱装置であって、利用者が入出金指示のための操作を行う操作部を備え、該操作部の操作面が壁面と対向していることを特徴とする紙葉類取扱装置を提供する。
【００１１】
また、請求項２に示されるように、紙幣或いは有価証券等の紙葉類を入出金する紙葉類取扱装置であって、利用者が入出金指示のための操作を行う操作部を備え、該操作部と壁面との間に通行可能なスペースを有することを特徴とする紙葉類取扱装置を提供する。
【００１２】
また、請求項３に示されるように、請求項１乃至請求項２に記載の紙葉類取扱装置であって、該操作部に加え、該紙葉類を入出金するための入出金部と、入出金される該紙葉類を収納するための金庫とを備え、該操作部及び該入出金部は利用者が操作可能な操作ユニットに収納されて壁面から所定の距離を置いて設置され、該金庫及び紙葉類繰出/収納機構を備えた紙葉類処理ユニットは壁面を挟んで該操作ユニットと反対側に設置され、該操作ユニットと該紙葉類処理ユニットとを連結して該紙葉類を搬送するための搬送ユニットが床面もしくは床下に設置される構成を有することを特徴とする紙葉類取扱装置を提供する。
【００１３】
また、請求項４に示されるように、請求項３に記載の紙葉類取扱装置であって、床面もしくは床下に設置された該搬送ユニットは対の搬送ガイド、すなわち、上搬送ガイドと下搬送ガイドとを一対以上有し、該上搬送ガイドと該下搬送ガイドが所定の距離を隔てて対向することにより紙葉類が搬送される搬送路を形成する構成であって、また、紙葉類の通過および或いは残留を検知するセンサと複数対の搬送ローラとを有し、該搬送路に紙葉類が残留した場合に該上搬送ガイドを移動させて床面上側から該残留紙葉類を除去することを可能とする開口機構を備え、該開口機構の作動可否を選択する錠を有することを特徴とする紙葉類取扱装置を提供する。
【００１４】
また、請求項５に示されるように、請求項３に記載の紙葉類取扱装置であって、床面もしくは床下に設置された該搬送ユニットは対の搬送ガイド、すなわち、上搬送ガイドと下搬送ガイドとを一対以上有し、該上搬送ガイドと該下搬送ガイドが所定の距離を隔てて対向することにより紙葉類が搬送される搬送路を形成する構成であって、また、紙葉類の通過および或いは残留を検知するセンサと複数対の搬送ローラとを有し、該紙葉類処理ユニット側に該搬送ユニットを引き出すためのスライド機構を備えることを特徴とする紙葉類取扱装置を提供する。
【００１５】
また、請求項６に示されるように、請求項３乃至請求項５に記載の紙葉類取扱装置であって、該操作ユニットには一時的に該紙葉類を保管するための一時保管金庫を有することを特徴とする紙葉類取扱装置を提供する。
【００１６】
また、請求項７に示されるように、請求項３乃至請求項６に記載の紙葉類取扱装置であって、該操作ユニットは、床面もしくは床下に設置された該搬送ユニットを搬送された紙葉類を入出金部まで搬送する操作ユニット内搬送部を有し、該操作ユニット内搬送部は一対以上の搬送ガイドから構成されていて、対の数を変更することにより、該操作ユニットの高さを変更可能であることを特徴とする紙葉類取扱装置を提供する。
【発明の効果】
【００１７】
請求項１乃至２に示される特徴を有することにより、利用者が壁面を背に操作を行うこと、或いは利用者が別の利用者たちによる順番待ちの列と向かい合う形で操作を行うことが可能となるため、防犯性が高まり、利用者が利用中に背後への警戒を行う必要が相当程度減るため、利用に伴う緊張を緩和することが可能となる。
【００１８】
また、請求項３に示される特徴を有することにより、紙葉類の装填・回収・保管に対するセキュリティを確保したまま、設置レイアウト及びデザインの可塑性に富んだ操作ユニットを提供できる。
【００１９】
また、請求項４及び請求項５に示される特徴を有することにより、搬送ユニット内に紙葉類が残留した場合にも係員の操作で残留した紙葉類を除去でき、また、普段、不特定の人が故意にあるいは誤って搬送ユニットにアクセスすることを防止できる。
【００２０】
また、請求項６に示される特徴を有することにより、全体の処理時間を短縮することができる。即ち、昼間の稼働時間内においては、利用者の操作により取引が開始するよりも以前に金庫部から一時保管金庫に所定の枚数の紙葉類を移しておくことにより、取引が所定額以内の出金処理であった場合、一時保管金庫からの出金処理を選択して搬送或いは真偽の鑑別等に要する時間を短縮することができる。
【００２１】
また、請求項７に示される特徴を有することにより、多様な利用者に対応した高さの操作ユニットを提供することが可能となる。例えば車椅子を必要とする利用者にとって使いやすい高さに操作部を配置できる。
【発明を実施するための最良の形態】
【００２２】
以下、図を用いて本発明について説明する。
【実施例１】
【００２３】
本発明の紙葉類取扱装置１は、大きくは３つのユニットから構成される。操作ユニット１００は利用者１０００が利用可能な室内に設置され、紙葉類処理ユニット２００は利用者１０００が利用する室内とは壁面２を隔てて管理された別室に設置されている。操作ユニット１００と紙葉類処理ユニット２００とを連結する搬送ユニット５００は本実施例では床下に設置されている。
【００２４】
操作ユニット１００は、奥行き側を高くした傾斜面Aに操作パネル１１０及び入出金口１２０を備え、筐体１０１内に一時保管金庫１３０、カード処理装置１４０、通帳処理装置１５０、操作ユニット内搬送部１６０及びオプショナル搬送部１７０等を備えている。入出金口１２０、一時保管金庫１３０、搬送ユニット５００は操作ユニット内搬送部１６０及びオプショナル搬送部１７０により相互に連結されている。
【００２５】
紙葉類処理ユニット２００は、金庫部３００と紙葉類処理部４００とから構成され、金庫部３００には複数の紙葉類カセット３１０、紙葉類分離機構３２０、紙葉類搬送機構３３０、鉄板などで作られた外枠３４０、紙葉類処理部４００との連結口３５０及び搬送ユニットとの連結口３６０等が備え付けられている。また金庫部３００は、通常閉鎖されており定められた係員のみ開錠して保守作業を行うことができる。
【００２６】
紙葉類処理部４００には紙葉類を取引成立までの間一旦収納する紙葉類一時集積口４１０、紙葉類の識別を行う紙葉類識別部４２０、紙葉類巻取部４３０、明細票処理装置４４０等を備えており、図に直線及び曲線で示した搬送路がそれらを結んでいる。
【００２７】
搬送ユニット５００は壁２に形成された矩形の貫通穴で操作ユニット１００と紙葉類処理ユニット２００を連結している。搬送ユニット５００は搬送路５１０、搬送ローラもしくは搬送ベルトからなる搬送ブロック５３０と、床下を矩形に掘り込んだ溝に収納した搬送ブロック５３０の上部に設置された、ロック機構６１０を有する蓋６００とからなる。
【００２８】
また、紙葉類取扱装置１を監視制御する本体制御部７００が紙葉類処理ユニット２００に当接して、利用者１０００が利用する室内とは壁面２を隔てて管理された別室に設置されている。本体制御部７００は、操作ユニット１００、紙葉類処理ユニット２００、搬送ユニット５００とそれぞれ図示しないバスで接続され、外部のホストコンピュータ等とのインターフェース部７１０、係員操作部７２０、外部記憶装置７３０とも接続されていて、紙葉類取扱装置１に必要な制御を実行する一方、外部とデータの送受信を行うことができる。
【００２９】
各ユニットには図示しない電源部から電力を供給される。
【００３０】
次に、紙葉類取扱装置１の取引時の動作を説明する。利用者１０００が操作パネル１１０を操作し、行いたい取引を指示する。
【００３１】
入金時の動作についてまず説明する。利用者１０００が入金を指示すると、カードもしくは通帳をカード処理装置１４０、通帳処理装置１５０に挿入するようメッセージが操作パネル１１０に表示される。カードもしくは通帳の受付を行った後、入出金口１２０のシャッタを開いて紙葉類の投入を待つ。利用者１０００が紙葉類を投入したらシャッタを閉じられる。入出金口１２０に投入された紙葉類は１枚ずつ分離されて操作ユニット内搬送部１６０、オプショナル搬送部１７０、搬送路５１０、紙葉類搬送機構３３０を通って紙葉類処理部４００へ送られ、紙葉類識別部４２０にて紙葉類の種別・真偽・搬送姿勢等を識別される。入金可能と識別された紙葉類は、紙葉類一時集積口４１０に一旦収納される。入金不可と識別された紙葉類はリジェクト庫に一旦収納される。リジェクト庫内の紙葉類は入出金口１２０にて全ての紙葉類を分離し終えた後、リジェクト庫から入出金口１２０へ搬送・集積され、利用者１０００に返却される。利用者１０００は必要に応じて入出金口１２０へ紙葉類を再投入することができる。
【００３２】
その後、操作パネル１１０に計数金額を表示し、利用者１０００に確認を求める。利用者１０００が計数金額を承認する旨、操作を行うと紙葉類一時集積口４１０に一旦収納された紙葉類はその種別に応じて金庫部３００に設けられた複数の紙葉類カセット３１０のいずれかに収納されて入金完了となる。最後に、取引結果に応じてカード処理装置１４０、通帳処理装置１５０にてカードの処理或いは通帳への記帳を行い利用者１０００に返却するとともに、利用者１０００が要求した場合は明細票処理装置４４にて取引記録を所定の用紙に印字し、搬送経路を通って入出金口１２０へ搬送して利用者１０００に交付する。
【００３３】
次に、出金時の動作について説明する。利用者１０００が出金を指示すると、カードもしくは通帳をカード処理装置１４０、通帳処理装置１５０に挿入するようメッセージが操作パネル１１０に表示される。カードもしくは通帳の受付を行った後、操作パネル１１０に暗証番号の入力を求める表示を行う。暗証番号を認証できた後、出金金額の入力を求める表示を行う。利用者１０００が出金金額を入力し、確認を行った後、金庫部３００内の複数の紙葉類カセット３１０から指定された金額の紙葉類を紙葉類分離機構３２０で1枚ずつ繰り出して、紙葉類搬送機構３３０を通って紙葉類処理部４００へ送られる。紙葉類処理部４００では紙葉類識別部４２０にて金種・真偽・搬送姿勢等の確認が行われ、出金に不適な紙葉類は紙葉類一時集積口４１０に一旦収納される。出金に適した紙葉類は搬送経路を通って入出金口１２０に集積される。
【００３４】
利用者１０００が要求した場合は明細票処理装置４４にて取引記録を所定の用紙に印字し、搬送経路を通って入出金口１２０へ搬送して集積する。
【００３５】
指定された金額及び利用者１０００が要求した場合は取引記録が記録された用紙が入出金口１２０に集積した後、入出金口１２０に備えられたシャッタを開き、利用者１０００に出金する。
【００３６】
紙葉類一時集積口４１０に収納された紙葉類は金庫部３００内の紙葉類カセット３１０のひとつに収納され、出金完了となる。最後に、取引結果に応じてカード処理装置１４０、通帳処理装置１５０にてカードの処理或いは通帳への記帳を行い、利用者１０００に返却する。
【００３７】
以上の説明では操作ユニット１００の一時保管金庫１３０を用いない運用について説明したが、紙葉類取扱装置１の運転時で取引を行わない時間帯に予め所定の枚数の紙葉類を一時保管金庫１３０に移送し集積しておくことで取引時間を短縮する運用もできる。即ち、運用開始時或いは取引と取引の間の時間に予め所定の枚数の紙葉類を、金庫部３００内の複数の紙葉類カセット３１０から紙葉類分離機構３２０で1枚ずつ繰り出して、紙葉類搬送機構３３０を通って紙葉類処理部４００へ送られる。紙葉類処理部４００では紙葉類識別部４２０にて金種・真偽・搬送姿勢等の確認が行われ、出金に不適な紙葉類は紙葉類一時集積口４１０に一旦収納される。出金に適した紙葉類は搬送経路を通って一時保管金庫１３０に移送し集積される。
【００３８】
出金時は、利用者１０００が入力した出金金額が一時保管金庫１３０に集積された金額よりも小さい場合は、出金金額の確認後、一時保管金庫１３０から入出金口１２０に搬送され集積した後、入出金口１２０に備えられたシャッタを開き、利用者１０００に出金する。搬送経路が短くなることと、紙葉類識別部４２０による識別動作を予め行っておくことができることから、取引時間を短縮することができる。
【実施例２】
【００３９】
搬送ユニット５００は紙葉類処理ユニット２００の置かれている室に引き出すことができるため、紙葉類が搬送ユニット５００内で滞留した場合に、管理された係員のみがアクセスできる室内で滞留した紙葉類の除去作業等を行える。
【図面の簡単な説明】
【００４０】
【図１】本発明の一実施例の紙幣取扱装置を据付けた状態を側面から見た断面図。
【図２】別の実施例の紙幣取扱装置を据付けた状態を側面から見た断面図。
【符号の説明】
【００４１】
１００…操作ユニット、２００…紙葉類処理ユニット、３００…金庫部、４００…紙葉類処理部、５００…搬送ユニット、６００…蓋、７００…本体制御部、１０００…利用者。
【図１】
2008197938.tif 000003
【図２】
2008197938.tif 000004